(57)【要約】【課題】温度変化が激しい環境下及び高い相対湿度が長期間継続する環境においても、高い吸放湿性能を得ることができ、かつ電気・電子機器収納ボックス内に容易に取り付けることができる調湿部材及びその取り付け方法を提供する。【解決手段】無機質多孔質材料からなり、貫通孔２ｇが形成されている積層された複数の調湿板２と、積層された調湿板２の互いに対向し合う面２ａ，２ｂ間に隙間を形成するように、調湿板２の間に配置されており、かつ貫通孔３ａが形成されている隙間形成部材３と、貫通孔２ｇ及び貫通孔３ａに挿通されており、調湿板２の一部の領域及び前記隙間形成部材３の一部の領域を取り囲むように環を形成していることにより、複数の調湿板２及び隙間形成部材３を結束している結束バンド４とを備える調湿部材１、及び取付部材に調湿部材１の結束バンド４を取り付ける調湿部材１の取り付け方法。【選択図】図１
2009254131.tif 000002
【特許請求の範囲】
【請求項１】
電気・電子機器収納ボックス内に取り付けられる調湿部材であって、
無機質多孔質材料からなり、貫通孔が形成されている積層された複数の調湿板と、
積層された前記調湿板の互いに対向し合う面間に隙間を形成するように、前記調湿板の間に配置されており、かつ貫通孔が形成されている隙間形成部材と、
前記複数の調湿板の貫通孔及び前記隙間形成部材の貫通孔に挿通されており、前記調湿板の一部の領域及び前記隙間形成部材の一部の領域を取り囲むように環を形成していることにより、前記複数の調湿板及び前記隙間形成部材を結束している結束バンドとを備えることを特徴とする、調湿部材。
【請求項２】
請求項１に記載の調湿部材と、
貫通孔が形成されており、該貫通孔に前記調湿部材の前記結束バンドが挿通されており、前記調湿部材を電気・電子機器収納ボックス内に取り付ける取付部材とを備えることを特徴とする、取付部材付き調湿部材。
【請求項３】
前記取付部材が磁石である、請求項２に記載の取付部材付き調湿部材。
【請求項４】
無機質多孔質材料からなり、かつ貫通孔が形成されている積層された複数の調湿板と、
積層された前記調湿板の互いに対向し合う面間に隙間を形成するように、前記調湿板の間に配置されており、かつ貫通孔が形成されている隙間形成部材と、
前記複数の調湿板の貫通孔及び前記隙間形成部材の貫通孔に挿通されており、前記調湿板の一部の領域及び前記隙間形成部材の一部の領域を取り囲むように環を形成していることにより、前記複数の調湿板及び前記隙間形成部材を結束している結束バンドとを備える調湿部材を用意し、
前記調湿部材を用意するに際し、又は前記調湿部材を用意した後に、電気・電子機器収納ボックスの内面に設置された取付部材に、前記結束バンドを取り付けることにより、電気・電子機器収納ボックス内に前記調湿部材を取り付けることを特徴とする、調湿部材の取り付け方法。
【請求項５】
無機質多孔質材料からなり、かつ貫通孔が形成されている積層された複数の調湿板と、
積層された前記調湿板の互いに対向し合う面間に隙間を形成するように、前記調湿板の間に配置されており、かつ貫通孔が形成されている隙間形成部材と、
前記複数の調湿板の貫通孔及び前記隙間形成部材の貫通孔に挿通されており、前記調湿板の一部の領域及び前記隙間形成部材の一部の領域を取り囲むように環を形成していることにより、前記複数の調湿板及び前記隙間形成部材を結束している結束バンドとを備える調湿部材を用意し、
前記調湿部材を用意するに際し、又は前記調湿部材を用意した後に、取付部材に前記結束バンドを取り付けて、該取付部材を電気・電子機器収納ボックスの内面に設置することにより、電気・電子機器収納ボックス内に前記調湿部材を取り付けることを特徴とする、調湿部材の取り付け方法。
【請求項６】
前記取付部材に貫通孔が形成されており、
前記調湿部材を用意するに際し、前記固定部材の貫通孔に前記結束バンドを挿通させる、請求項４または５に記載の調湿部材の取り付け方法。
【請求項７】
前記取付部材が磁石である、請求項４〜６のいずれか１項に記載の調湿部材の取り付け方法。
【請求項８】
前記取付部材がフック部材であり、該フック部材に前記結束バンドを掛ける、請求項４または５に記載の調湿部材の取り付け方法。
【発明の詳細な説明】
【技術分野】
【０００１】
本発明は、例えば分電盤や操作盤等が収納されている電気・電子機器収納ボックス内に取り付けられる調湿部材に関し、電気・電子機器収納ボックスに容易に取り付けることができ、該電気・電子機器収納ボックス内の相対的な湿度変化に伴って吸放湿し、高い吸放湿性能を得ることを可能とする調湿部材、取付部材付き調湿部材及び調湿部材の取り付け方法に関する。
【背景技術】
【０００２】
発電所から供給される高電圧の電力を分電する分電盤が組み込まれているボックス、電力機器を操作するための操作盤が収納されているボックス、通信機器が収納されている小型のボックスや、各種機械制御のための電子部品が収納されているボックス等の各種の電気・電子機器収納ボックスがある。電気機器や電子機器を保護するために、電力が供給されている状態では、ボックス内の温度は比較的高く、かつ相対湿度は比較的低く保たれている。
【０００３】
しかしながら、電力の供給が停止された場合、ボックス内の温度は急激に低下する。そのため、ボックス内の相対湿度が急激に低下する。その結果、ボックス内の電気機器や電子機器に結露が生じたり、絶縁不良や漏電が生じたりすることがあった。このような問題は、ボックスが屋外に設置された場合に特に生じ易かった。気象庁の観測記録では、１時間で約２０℃、昼夜で約２２℃温度低下した事例がある。屋外に設置されたボックスでは、外部環境の変化によってもボックス内の温度が急激に変化し、相対湿度が急激に変化することがあった。従来、このような問題を解決するために、ボックス内に調湿材が設置されている。
【０００４】
調湿材は、例えば相対湿度１００％以下でも水蒸気を吸着することができる材料を用いて構成されている。調湿材は、外部環境の変化に応じて、水蒸気を吸着したり、吸着した水を放出したりする。それによって、周囲の相対湿度の変化を小さくすることができる。
【０００５】
上記のような調湿材の一例として下記の特許文献１には、複数の調湿板が間隔を隔てて積層されている調湿板の積層体が開示されている。ここでは、複数の調湿板の四角に形成されたねじ穴に挿入されたねじにより、複数の調湿板が積層された状態で固定されている。
【０００６】
また、特許文献１には、調湿板の積層体をボックス内に設置する具体的な方法として、調湿板を基板を用いて取り付ける方法が記載されている。
【特許文献１】特開２００８−０２３５１６号公報
【発明の開示】
【発明が解決しようとする課題】
【０００７】
特許文献１に記載の調湿板では、複数の調湿板が間隔を隔てて積層されているため、調湿板の両面において水蒸気を吸放湿することができる。そのため、高い吸放湿性能を得ることができる。しかしながら、この調湿板の積層体は、基板を用いて電気・電子機器収納ボックス内に取り付けられていた。この調湿板の積層体の取り付け方法では、取り付け作業が極めて煩雑であった。
【０００８】
本発明の目的は、上述した従来技術の現状に鑑み、温度変化が激しい環境下においても、また、高い相対湿度が長期間継続する環境においても、高い吸放湿性能を得ることができ、かつ電気・電子機器収納ボックス内に容易に取り付けることができる調湿部材及び取付部材付き調湿部材を提供することにある。
【０００９】
本発明の他の目的は、電気・電子機器収納ボックス内に容易に取り付けることができ、かつボックス内に取り付けられた後に、調湿部材に振動や衝撃が与えられても、調湿部材が転倒したり、落下したりするのを防ぐことができる調湿部材の取り付け方法を提供することにある。
【課題を解決するための手段】
【００１０】
本発明よれば、電気・電子機器収納ボックス内に取り付けられる調湿部材であって、無機質多孔質材料からなり、貫通孔が形成されている積層された複数の調湿板と、積層された前記調湿板の互いに対向し合う面間に隙間を形成するように、前記調湿板の間に配置されており、かつ貫通孔が形成されている隙間形成部材と、前記複数の調湿板の貫通孔及び前記隙間形成部材の貫通孔に挿通されており、前記調湿板の一部の領域及び前記隙間形成部材の一部の領域を取り囲むように環を形成していることにより、前記複数の調湿板及び前記隙間形成部材を結束している結束バンドとを備えることを特徴とする、調湿部材が提供される。
【００１１】
また、本発明によれば、本発明に従って構成された調湿部材と、貫通孔が形成されており、該貫通孔に前記調湿部材の前記結束バンドが挿通されており、前記調湿部材を電気・電子機器収納ボックス内に取り付ける取付部材とを備えることを特徴とする、取付部材付き調湿部材が提供される。
【００１２】
本発明に係る取付部材付き調湿部材のある特定の局面では、前記取付部材は磁石である。
【００１３】
本発明によれば、無機質多孔質材料からなり、かつ貫通孔が形成されている積層された複数の調湿板と、積層された前記調湿板の互いに対向し合う面間に隙間を形成するように、前記調湿板の間に配置されており、かつ貫通孔が形成されている隙間形成部材と、前記調湿板及び前記隙間形成部材の貫通孔に挿通されており、前記調湿板の一部の領域及び前記隙間形成部材の一部の領域を取り囲むように環を形成していることにより、前記複数の調湿板及び前記隙間形成部材を結束している結束バンドとを備える調湿部材を用意し、前記調湿部材を用意するに際し、又は前記調湿部材を用意した後に、電気・電子機器収納ボックスの内面に設置された取付部材に、前記結束バンドを取り付けることにより、電気・電子機器収納ボックス内に前記調湿部材を取り付けることを特徴とする、調湿部材の取り付け方法が提供される。
【００１４】
本発明によれば、無機質多孔質材料からなり、かつ貫通孔が形成されている積層された複数の調湿板と、積層された前記調湿板の互いに対向し合う面間に隙間を形成するように、前記調湿板の間に配置されており、かつ貫通孔が形成されている隙間形成部材と、前記複数の調湿板の貫通孔及び前記隙間形成部材の貫通孔に挿通されており、前記調湿板の一部の領域及び前記隙間形成部材の一部の領域を取り囲むように環を形成していることにより、前記複数の調湿板及び前記隙間形成部材を結束している結束バンドとを備える調湿部材を用意し、前記調湿部材を用意するに際し、又は前記調湿部材を用意した後に、取付部材に前記結束バンドを取り付けて、該取付部材を電気・電子機器収納ボックスの内面に設置することにより、電気・電子機器収納ボックス内に前記調湿部材を取り付けることを特徴とする、調湿部材の取り付け方法が提供される。
【００１５】
本発明に係る調湿部材の取り付け方法のある特定の局面では、取付部材に貫通孔が形成されており、前記調湿部材を用意するに際し、前記固定部材の貫通孔に前記結束バンドを挿通させている。この場合、電気・電子機器収納ボックス内に、調湿部材をより一層容易に取り付けることができる。さらに、電気・電子機器収納ボックス内に取り付けられた調湿部材が転倒したり、落下したりするのを確実に防ぐことができる。
【００１６】
本発明に係る調湿部材の取り付け方法の他の特定の局面では、前記取付部材は磁石である。この場合、電気・電子機器収納ボックス内に、調湿部材をさらに一層容易に取り付けることができる。さらに、電気・電子機器収納ボックス内から、調湿部材を取り外すこともできる。
【００１７】
本発明に係る調湿部材の取り付け方法のさらに他の特定の局面では、前記取付部材はフック部材であり、該フック部材に前記結束バンドを掛けている。この場合、電気・電子機器収納ボックス内に、調湿部材をより一層容易に取り付けることができる。さらに、電気・電子機器収納ボックス内から、調湿部材を取り外すこともできる。
【発明の効果】
【００１８】
本発明に係る調湿部材では、複数の調湿板が積層されており、該調湿板の互いに対向し合う面間に隙間形成部材が配置されているので、調湿板の両面で吸放湿性能を得ることができる。しかも、無機質多孔質材料からなる調湿板を用いているので、吸放湿速度が充分に速く、例えばボックスが急激に温度変化する環境におかれた場合であっても、充分な結露防止効果を得ることができる。また、相対湿度が長期間継続する環境においても、高い吸放湿性能を得ることができる。
【００１９】
さらに、複数の調湿板及び隙間形成部材を結束している結束バンドが、調湿板の一部の領域及び隙間形成部材の一部の領域を取り囲むように環を形成しているため、結束バンドにより、調湿部材を電気・電子機器収納ボックス内に容易に取り付けることができる。
【００２０】
本発明に係る取付部材付き調湿部材では、取付部材の貫通孔に調湿部材の結束バンドが挿通されているので、取付部材により調湿部材を電気・電子機器収納ボックス内に容易に取り付けることができる。
【００２１】
本発明に係る調湿部材の取り付け方法では、上記調湿部材を用意するに際し、又は用意した後に、電気・電子機器収納ボックスの内面に設置された取付部材あるいは電気・電子機器収納ボックスの内面に設置される取付部材に、調湿部材の結束バンドを取り付けるので、電気・電子機器収納ボックス内の所望とする位置に、調湿部材を容易に取り付けることができる。さらに、取り付けた後に、調湿部材に振動や衝撃が与えられても、調湿部材が転倒したり、落下したりするのを防ぐことができる。
【発明を実施するための最良の形態】
【００２２】
以下、図面を参照しつつ、本発明の具体的な実施形態を説明することにより、本発明を明らかにする。
【００２３】
（調湿部材）
図１（ａ），（ｂ）は、本発明の一実施形態に係る調湿部材を示す側面図及び斜視図である。図１（ａ），（ｂ）に示す調湿部材１は、複数の調湿板２と、隙間形成部材３と、結束バンド４とを備えている。
【００２４】
調湿板２は、矩形である。調湿板２の形状は特に限定されず、正方形、又は円形であってもよい。複数の調湿板２はそれぞれ、第１，第２の主面２ａ，２ｂと、該第１，第２の主面２ａ，２ｂを結ぶ第１，第２の端面２ｃ，２ｄ、上面２ｅ及び下面２ｆとを有する。
【００２５】
調湿板２の四角近傍には、第１の主面２ａから第２の主面２ｂにかけて調湿板２を貫通している貫通孔２ｇが形成されている。調湿板２における貫通孔の形成位置及び形成個数は特に限定されない。複数の貫通孔は、分散して配置されていることが好ましく、特に各コーナー部の近傍に形成されていることが好ましい。
【００２６】
調湿板２は、無機質多孔質材料からなる。無機質多孔質材料の平衡含水量、透湿係数、曲げ比強度又はパルプ繊維が後述する特定の範囲にある場合、調湿板２に割れ等が生じることなく、穴あけ加工により、貫通孔２ｇを容易に形成することができる。
【００２７】
調湿板２の第１の主面２ａが、該調湿板２に積層された別の調湿板の第２の主面２ｂと互いに対向するように、複数の調湿板２，２が積層されている。積層された調湿板２の枚数は、特に限定されないが、２〜２０枚程度である。
【００２８】
積層されている調湿板２の互いに対向し合う面２ａ，２ｂ間に隙間を形成するように、隙間形成部材３が調湿板２，２の間に配置されている。従って、隙間形成部材３により、積層されている調湿板２の対向し合う面２ａ，２ｂ同士が、面接触しないように隔離されている。
【００２９】
隙間形成部材３には、貫通孔３ａが形成されている。隙間形成部材３は、調湿板２の貫通孔２ｇが形成されている部分に配置されている。隙間形成部材３の貫通孔３ａは、調湿板２の貫通孔２ｇに連ねられている。隙間形成部材３は、積層された調湿板２，２間において貫通孔２ｇが形成されている複数の位置にそれぞれ配置されている。
【００３０】
隙間形成部材３は、隙間形成部材３が調湿板２の第１，第２の主面２ａ，２ｂに接触することにより、調湿板２の露出している部分の表面積が小さくなりすぎないように選択される。
【００３１】
本実施形態では、隙間形成部材３として、貫通孔が形成されているナットが用いられている。隙間形成部材としては貫通孔が形成されていれば特に限定されず、ナットに代えて、環状部材や板状部材を用いてもよい。隙間形成部材を構成する材料としては特に限定されず、金属や樹脂等が挙げられる。
【００３２】
結束バンド４は、バンド４ａと、該バンド４ａの一端側に設けられており、かつ他端側においてバンド４ａを固定するための固定部４ｂとを有する。バンド４ａは、紐状である。バンド４ａは、帯状であってもよい。固定部４ｂには、バンド４ａを固定するために、貫通孔が形成されている。固定部４ｂは、バンド４ａを固定することができれば、その構造は限定されない。
【００３３】
前述のように、調湿板２の貫通孔２ｇと、隙間形成部材３の貫通孔３ａとは連ねられている。調湿板２の四隅近傍において、連ねられている貫通孔２ｇ，３ａに、４つの結束バンド４のバンド４ａが他端側から、それぞれ挿通されている。挿通されたバンド４ａの一端側及び他端側は、環を形成するように曲げられ、調湿板２の第１，第２の端面２ｃ，２ｄよりも側方の領域に位置している。該側方の領域において、バンド４ａが他端側から、固定部４ｂの貫通孔に挿入されて、バンド４ａが固定部４ｂに固定されている。それによって、調湿板２の一部の領域及び隙間形成部材３の一部の領域を取り囲むように、結束バンド４が環を形成している。結束バンド４がこのような環を形成していることにより、複数の調湿板２及び隙間形成部材３が結束バンド４により結束されている。
【００３４】
バンド４ａは、固定部４ｂに着脱可能に固定されていることが好ましい。この場合、必要に応じて、調湿板２を取り換えることができる。
【００３５】
環を形成している結束バンド４の一部は、調湿板２の第１，第２の端面２ｃ，２ｄよりも側方の領域に位置している。バンド４ａの固定部４ｂに固定されている部分と、固定部４ｂとが、調湿板２の第１，第２の端面２ｃ，２ｄよりも側方の領域に位置している。環を形成している結束バンド４の一部は、調湿板２の上面２ｅ又は下面２ｆよりも上方又は下方の領域に位置していてもよい。バンド４ａの固定部４ｂに固定されている部分と、固定部４ｂとは、調湿板２の上面２ｅ又は下面２ｆよりも上方又は下方の領域に位置していてもよい。
【００３６】
また、結束バンド４は、貫通孔２ｇ，３ａに挿通されている部分を軸として回転可能である。すなわち、結束バンド４の貫通孔２ｇ，３ａに挿通されている部分を軸として、結束バンド４を回転させることにより、環を形成している結束バンド４の一部を、調湿板２の上面２ｅ又は下面２ｆよりも側方の領域に位置させることができる。すなわち、バンド４ａの固定部４ｂに固定されている部分と、固定部４ｂとが、調湿板２の第１，第２の端面２ｃ，２ｄよりも側方の領域に位置させることができる。
【００３７】
調湿部材１を得るに際しては、図２に示すように、複数の調湿板２を並べて、調湿板２の互いに対向し合う面２ａ，２ｂ間に隙間形成部材３を配置しつつ、固定部４ｂが設けられている一端側とは反対側の他端側からバンド４ａを、調湿板２の貫通孔２ｇと、隙間形成部材３の貫通孔３ａとに挿通する。しかる後、環を形成するように、かつ調湿板２の第１，第２の端面２ｃ，２ｄのよりも側方の領域に位置するように、バンド４ａの一端側と他端側とを曲げる。曲げられたバンド４ａを他端側から、固定部４ｂの貫通孔に挿入することにより、バンド４ａを固定部４ｂに固定する。それによって、調湿板２の一部の領域及び隙間形成部材３の一部の領域を取り囲むように、結束バンド４が環を形成する。結束バンド４がこのような環を形成することにより、複数の調湿板２及び隙間形成部材３を結束バンド４により結束することができる。
【００３８】
調湿部材１は、例えば図７に示す電気・電子機器収納ボックス１０１内に取り付けられる。電気・電子機器収納ボックス１０１は、扉１０１ａを有し、扉１０１ａを手前に引くことで、開口部１０１ｂが形成される。電気・電子機器収納ボックス１０１内の上方の領域には、電気・電気機器１０２が収納されている。電気・電子機器収納ボックス１０１内の電気・電気機器１０２が収納されている部分の下方の領域に、内部空間が形成されている。
【００３９】
調湿部材１は、調湿板の一部の領域及び隙間形成部材の一部の領域を取り囲むように環を形成している結束バンドを備えているので、該環を形成している結束バンドにより、調湿部材１を電気・電子機器収納ボックス１０１内の上記内部空間に容易に取り付けることができる。
【００４０】
（取付部材付き調湿部材）
図３は、本発明の一実施形態に係る取付部材付き調湿部材を示す斜視図である。
【００４１】
図３に示す取付部材付き調湿部材１１は、前述の調湿部材１と、取付部材１２とを備えている。取付部材１２が備えられていることを除いては、取付部材付き調湿部材１１は、調湿部材１と同様に構成されている。調湿部材１と同様に構成されているところは、同一の符号を付してその説明を省略する。
【００４２】
取付部材１２は、磁石である。取付部材１２には、貫通孔１２ａが形成されている。取付部材１２の貫通孔１２ａに、結束バンド４のバンド４ａが挿通されている。取付部材１２は、調湿板２の第１，２の端面２ｃ，２ｄよりも側方の領域に位置している。
【００４３】
磁石である取付部材１２に代えて、粘着層を表面に有する取付部材を用いてもよい。この場合、取付部材の粘着層の粘着力により、取付部材を電気・電子機器収納ボックス１０１内に設置することができる。電気・電子機器収納ボックスに磁石がつかないステンレス等からなる場合には、粘着層を表面に有する取付部材や後述のフック部材を取付部材として用いることができる。
【００４４】
取付部材付き調湿部材１１では、取付部材１２が備えられているため、該取付部材１２により、電気・電子機器収納ボックス内に調湿部材１を容易に取り付けることができる。
【００４５】
取付部材付き調湿部材１１は以下のようにして得ることができる。
【００４６】
図４に示すように、調湿部材１を用意するに際し、固定部４ｂが設けられている一端側とは反対側の他端側からバンド４ａを、取付部材１２の貫通孔１２ａに挿通する。次に、バンド４ａを他端側から、複数の調湿板２の貫通孔２ｇ及び隙間形成部材３の貫通孔３ａにさらに挿通すればよい。なお、バンド４ａを他端側から、複数の調湿板２の貫通孔２ｇ及び隙間形成部材３の貫通孔３ａに挿通した後に、取付部材１２の貫通孔１２ａにさらに挿通してもよい。
【００４７】
（調湿部材の取り付け方法）
次に、図５を用いて、前述の取付部材付き調湿部材１１を用いた場合の本発明の一実施形態に係る調湿部材の取り付け方法を説明する。
【００４８】
先ず、調湿部材１と、取付部材１２とを備える取付部材付き調湿部材１１を用意する。取付部材付き調湿部材１１では、調湿部材１を用意するに際し、調湿部材１の結束バンド４を取付部材１２に取り付けている。結束バンド４のバンド４ａが取付部材１２の貫通孔１２ａに挿通されている。取付部材１２は磁石である。
【００４９】
図５に示すように、磁石である取付部材１２を電気・電子機器収納ボックス１０１の内面１０１ｃに設置する。それによって、電気・電子機器収納ボックス１０１の内面１０１ｃに調湿部材１を取り付ける。このようにして、電気・電子機器収納ボックス１０１の内面１０１ｃに調湿部材１を取り付けることにより、取り付けられた調湿部材１に振動や衝撃が与えられても、調湿部材１が転倒したり、落下したりするのを防ぐことができる。
【００５０】
さらに、本実施形態では、図８に示すように、電気・電子機器収納ボックス１０１内の電気・電子機器１０２の収納されていない部分、すなわち空いたスペースに、調湿部材１を容易に取り付けることができる。なお、図８では、電気・電子機器収納ボックス１０１の底面に調湿部材１が載置され、かつ電気・電子機器収納ボックス１０１の背面に取付部材１２が設置されている（図示せず）。従って、調湿部材１の転倒が防がれている。電気・電子機器収納ボックス１０１の天面に取付部材１２を設置することにより、調湿部材１を取り付けてもよい。また、調湿部材１を吊り下げてもよい。
【００５１】
第１の実施形態の調湿部材の取り付け方法の変形例として、貫通孔１２ａが形成されている取付部材１２に代えて、調湿部材１の結束バンド４を挟持することが可能な取付部材を用いてもよい。この場合、調湿部材１を用意するに際し、又は調湿部材１を用意した後に、取付部材で調湿部材１の結束バンド４を挟持することにより、取付部材に調湿部材１の結束バンド４を取り付ける。しかる後、取付部材を電気・電子機器収納ボックス１０１の内面１０１ｃに設置することにより、電気・電子機器収納ボックス１０１内に調湿部材１を取り付けることができる。
【００５２】
次に、図６を用いて、前述の調湿部材１を用いた場合の本発明の第２の実施形態に係る調湿部材の取り付け方法を説明する。
【００５３】
先ず、取付部材１５を用意し、電気・電子機器収納ボックス１０１の内面１０１ｃに設置する。
【００５４】
取付部材１５は、フック部材である。取付部材１５は、内面１０１ｃに貼付された本体部１５ａと、該本体部１５ａの電気・電子機器収納ボックス１０１の内面１０１ｃに貼付された面とは反対側の面に接合されたフック部１５ｂとを有する。
【００５５】
本体部１５ａの背面には、図示しない粘着層が形成されている。該粘着層の粘着力により、本体部１５ａが電気・電子機器収納ボックス１０１の内面１０１ｃに貼付されている。フック部１５ｂはＪ字状の形状を有する。フック部１５ｂは、本体部１５ａから下方に延びており、下端近傍において内面１０１ｃから遠ざかる方向にさらに延びており、先端が上方に向かってさらに延びている。
【００５６】
次に、調湿部材１を用意した後、電気・電子機器収納ボックス１０１の内面１０１ｃに設置された取付部材１５のフック部１５ｂに、調湿部材１の結束バンド４のバンド４ａを掛けることにより、調湿部材１の結束バンド４を取付部材１５に取り付ける。それによって、電気・電子機器収納ボックス内に調湿部材１を取り付けることができる。
【００５７】
第２の実施形態の調湿部材の取り付け方法の変形例として、フック部材である取付部材１５に代えて、磁石であり、かつ貫通孔１２ａが形成されている前述の取付部材１２を用いてもよい。この場合、例えばボックス１０１の内面１０１ｃに、取付部材１２を予め設置する。しかる後、調湿部材１を用意するに際し、取付部材１２の貫通孔１２ａに結束バンド４を挿通させることにより、調湿部材１の結束バンド４を取付部材１２に取り付ける。それによって、電気・電子機器収納ボックス１０１内に調湿部材１を取り付けることができる。
【００５８】
（調湿部材及び電気・電子機器収納ボックス）
上記電気・電子機器収納ボックス（以下、ボックスと略記することがある）は、特に限定されるわけではないが、電気機器や電子機器が収納される様々なボックスを含む。このようなボックスとしては、例えば分電盤や配電盤などが収納される電力機器収納ボックス、電力設備や電子設備などを操作するための電力機器や電子機器が収納されているボックス、様々な装置を操作するための操作盤が収納されているボックス等が挙げられる。この種のボックスでは、様々な電気回路や電子回路を構成するために、通常多数の電子部品が収納されている。そのため、前述したように、温度変化により結露が生じたりするおそれがある。特に、屋外に設置されたボックスでは、急激な温度変化により、相対湿度が急激に上昇し、結露が生じるおそれがある。
【００５９】
電気・電子機器収納ボックスとは、このような屋外に配置されているボックスの他、様々な環境下に設置されるボックスを含む。
【００６０】
調湿板は、無機質多孔質材料からなる。無機質多孔質材料は、非晶質シリカ及び珪酸塩化合物の内の少なくとも一方を主成分として含むことが好ましい。
【００６１】
上記非晶質シリカの細孔径を制御することで、中湿度域である相対湿度４０％〜７５％下で、高速で水蒸気を吸放湿することができる。また、ボックス内の相対湿度が高速で上昇する際、素早く吸湿することができる。そのため、ボックス内の結露を防止することができる。春期や秋期には夕刻から真夜中にかけて、急激に気温が変化することが多い。その際、ボックス内の相対湿度が４０〜５０％から、１００％まで上昇することがある。特に精密な機器が収納されたボックスでは相対湿度を８５％以下に抑える必要があり、この中湿域の吸放湿性能が特に重要である。
【００６２】
また珪酸塩化合物の細孔径を制御することにより、高湿度域である７５％〜９５％下で高速で水蒸気を吸湿することができる。また、高い湿度環境が長期間継続しても、多量の水蒸気を吸湿・放湿することができる。従って、例えば梅雨時などの温度変化が激しい環境下でも、充分な結露防止効果を得ることができる。
【００６３】
上記珪酸塩化合物としては、アロフェン、イモゴライト、バーミキュライト、パリゴルスカイト及び珪藻土等の粘土鉱物の内、多孔質の珪酸塩化合物が挙げられる。これらの粘土鉱物は自然界に存在し、吸放湿性能を有する。充分な吸放湿性能を得るためには、高湿度域での平衡含水量を大きくするために、細孔径と結晶水とを制御する必要がある。細孔径と結晶水とを制御する方法としては、熱処理する方法、及び粉砕機により機械的エネルギーを付与する方法等が挙げられる。比較的低いエネルギーで、細孔径が制御可能なこと、また加えるエネルギーの量により高度に結晶水量を制御できるので、上記珪酸塩化合物としては、パリゴルスカイトが好ましい。
【００６４】
調湿板の温度５℃〜５０℃の環境下での相対湿度７５％と相対湿度４０％の平衡含水量の差としては、９．５ｍｇ／ｇ〜５５．０ｍｇ／ｇが好ましく、１０．０ｍｇ／ｇ〜５０．０ｍｇ／ｇが好ましく、２０．０ｍｇ／ｇ〜４５．０ｍｇ／ｇが更に好ましい。ここで平衡含水量とは、材料の単位重量当たり、所定の相対湿度環境下で吸着できる最大の水蒸気量を意味する。
【００６５】
調湿板の温度５℃〜５０℃の環境下での相対湿度９５％と相対湿度７５％の平衡含水量の差としては、１５．０ｍｇ／ｇ〜８５．０ｍｇ／ｇが好ましく、３０．０ｍｇ／ｇ〜８５．０ｍｇ／ｇがより好ましく、５０．０ｍｇ／ｇ〜８３．０ｍｇ／ｇが更に好ましい。
【００６６】
調湿板の透湿係数としては、４５０〜２７００ｎｇ／（ｍ２・ｓ・Ｐａ）が好ましく、１０００〜２３００ｎｇ／（ｍ２・ｓ・Ｐａ）がより好ましい。透湿係数とは、ＪＩＳ  Ａ  １３２４記載の測定方法により測定される数値であり、材料の単位厚み当たりの水蒸気移動速度を示す数値である。
【００６７】
相対湿度７５％と相対湿度４０％の平衡含水量の差が、上記範囲にない場合は、急激な温度変化による相対湿度の変化に対応できず、ボックス内に結露が生じることがある。また上記平衡含水量の差が大きすぎると、細孔量が多すぎて、所定の強度が得られないことがある。そのため、貫通孔を形成したり、所定の大きさに切断したりする際の加工性や施工性が低下することがある。相対湿度７５％から４０％の平衡含水量の差を制御するためには、半径２ｎｍ〜３ｎｍの細孔の量を適量にする必要がある。その方法としては、例えば加圧された二酸化炭素により珪酸カルシウムを炭酸化硬化反応させる際に、珪酸カルシウムの含水量を５重量％〜３０重量％とし、その反応温度を８０℃〜１１０℃と高温にする方法が挙げられる。
【００６８】
相対湿度９５％と相対湿度７５％の平衡含水量の差が、上記範囲にない場合は、長期にわたり高湿度域が継続する際に、短期間で吸湿性能が飽和状態になり、結露防止効果が得られない可能性がある。また、平衡含水量の差が大きすぎると、細孔量が多すぎて、所定の強度が得られないことがある。そのため、調湿板に貫通孔を形成したり、切断したりする際の加工性や施工性が低下することがある。この場合、例えば珪酸塩化合物の細孔径と、結晶水の量を制御すればよい。その制御方法としては、パリゴルスカイトを用いて、該パリゴルスカイトに加熱下で機械的エネルギーを付与する方法等が挙げられる。
【００６９】
透湿係数が上記範囲にない場合は、材料に取り込まれる水蒸気の速度が低下する。そのため、材料の表層のみで吸放湿が起こり、充分な吸放湿性能が得られないことがある。透湿係数が大きすぎると、充分な強度が得られない可能性がある。また、急激な温度勾配による膨張収縮で、細孔構造が崩壊し、吸放湿機能が経時劣化する可能性がある。また充分な絶縁性能が得られず、電気機器用基板として用いる場合には問題がある。
【００７０】
透湿係数を制御する方法としては、材料深くまで水蒸気が容易に移動できる多孔質材料を用いる方法が挙げられる。このような多孔質材料としては、例えば、２〜３ｎｍと、１００〜２００ｎｍとに細孔分布ピークを有する材料が挙げられる。このような多孔質材料を得る方法としては、例えば、２０〜３０％重量の含水率を有するワラストナイトを水の存在下で、８０℃〜１１０℃の加圧二酸化炭素で反応させる方法が挙げられる。
【００７１】
上記平衡含水量の差及び透湿係数は、いずれも吸放湿速度に関わる物性であり、急激に温度や湿度が変化する環境に対応するために必要な物性である。
【００７２】
温度５℃〜５０℃、及び相対湿度４０％〜９５％の環境下での平衡含水量は、４０ｍｇ／ｇ〜２００ｍｇ／ｇの範囲にあることが好ましい。平衡含水量が上記範囲にある場合は長期にわたり水蒸気が流入する場合でも、水蒸気を充分に吸湿する。
【００７３】
上記調湿板の曲げ比強度は、４００ｍ〜１２００ｍの範囲にあることが好ましい。更に好ましくは、５００ｍ〜１０００ｍである。ここで曲げ比強度とは、曲げ強度（ｋｇ／ｍ２）を、嵩比重（ｋｇ／ｍ３）で除した数値である。曲げ比強度が小さすぎると、調湿板を電気機器の基板として用いたときに、電気機器の荷重に耐えられず、経年で破損する可能性がある。曲げ比強度が大きすぎると、硬度が高すぎて様々な形状に加工することが困難なことがある。無機多孔質材料の強度を高めるのは、通常困難である。しかし、例えば１０〜２３のアスペクト比を有するワラストナイトに対してセメントを５〜１０重量％配合させた材料を炭酸化硬化反応させる方法を用いることにより、無機多孔質材料の強度を高めることができる。
【００７４】
無機多孔質材料としては、珪酸カルシウム化合物を加圧二酸化炭素で反応させる方法（以下、炭酸化処理）により得られた炭酸化硬化体が好ましい。炭酸化硬化体は、セメント系硬化体に見られるような大気中の二酸化炭素により暴露されることによる炭酸化劣化がない。そのため、長期間に渡り耐久性が高められ、かつ吸放湿性能が半永久的に維持される。
【００７５】
上記珪酸カルシウム化合物としては、例えば、セメント水和物やトバモライトのような珪酸カルシウム水和物や、セメントやワラストナイト（珪灰石）のような珪酸カルシウム無水和物が挙げられる。中でも、炭酸化硬化体の強度を高めることができるので、珪酸カルシウム無水和物（以下、単に「珪酸カルシウム」という）が好ましい。反応速度や硬化体物性等の化学的安定性に優れているので、ワラストナイトがより好ましい。
【００７６】
上記ワラストナイトとは、ＣａＳｉＯ３で示される珪酸カルシウムからなる珪酸塩鉱物である。ワラストナイトは、白色の繊維状又は塊状物として天然に産出される。ワラストナイトは、一般にその繊維状の形状を利用して、アスベスト代替等の補強部材として利用されている。
【００７７】
上記ワラストナイトとしては、微粉砕処理により比表面積を増加させたワラストナイトが好ましい。ワラストナイトの粒子の大きさは、平均粒径で１０μｍ以下が好適である。平均粒径が１０μｍより大きい場合、粒子の内部まで炭酸化反応が進行しにくくなることがある。
【００７８】
また、上記ワラストナイトは、粉体粒度の体積分布において累積１０％径が１μｍ以下であることが好ましい。上記粉体粒度の体積分布とは、粉体の粒度分布を粒子の体積によって表した値であり、その累積１０％径とは、粒径の小さいものから粒子全体積の１０％に相当する粒子の粒子径である。累積１０％径が１μｍを越える場合は炭酸化処理における反応性が低くなる。そのため、炭酸化硬化体を形成するために長時間を要したり、もしくは高い圧力を付与しなければならかったりすることがある。
【００７９】
上記微粉砕処理により比表面積を増加させたワラストナイト以外のワラストナイトを使用する場合は、該ワラストナイトのアスペクト比は、５〜２５であることが好ましく、アスペクト比が１０〜２３であることがより好ましい。アスペクト比が５未満であると、炭酸化処理前の賦形工程で、ワラストナイトの配向が効率的に起こらず、賦形体の緻密化が不十分となることにより、炭酸化硬化後の機械的強度が小さくなる傾向がある。アスペクト比が２５を超えると、ワラストナイト繊維同士の絡み合いが大きく、嵩密度が大きくなり、賦形に際し、高圧かつ長時間のプレス成形が必要となる傾向がある。
【００８０】
なお、上記のようなアスペクト比を有するワラストナイトは、特に限定されないが、たとえば、ジェットミルなどによる粉砕と分級処理とにより得ることができる。
【００８１】
また、上記ワラストナイトは、高いエネルギーを与える処理等により活性化されていることが好ましい。活性化することで、ワラストナイトの連鎖珪酸塩構造を変化させることができ、ワラストナイトの反応性を高めることができる。
【００８２】
上記活性化は、例えば、ワラストナイト粉体に粉砕媒体などを用いて機械的エネルギーを与えることにより果たされる。上記機械的エネルギーとしては特に限定されず、例えば、圧縮力、剪断力、衝撃力、又は摩擦力等によるエネルギーが挙げられる。
【００８３】
上記の炭酸化硬化体は、好ましくは、比表面積が４０ｍ２／ｇ〜７５ｍ２／ｇである。比表面積とは、窒素吸着ＢＥＴ法で測定される単位重量当たりの面積である。比表面積より小さいと、ボックス内の急激な吸放湿変化に対応できず、充分な結露低減効果が得られない。非表面積が大きすぎると、充分な強度が得られず、調湿板の加工性が低下する。
【００８４】
上記珪酸塩化合物としては、１５０℃〜８００℃で熱処理されたパリゴルスカイトが好ましい。ここで、パリゴルスカイトとは一般にＳｉ８Ｏ２ＯＭｇ５（ＯＨ）２（ＯＨ２）４・Ｈ２Ｏの化学式で表される含水マグネシウム珪酸塩鉱物である。パリゴルスカイトを熱処理することにより、細孔径を制御することができる。パリゴルスカイトを炭酸化処理されてなる組織と組み合わせた際、吸放湿性能の発現性、及び成形性を高めることができる。
【００８５】
炭酸化硬化体中のパリゴルスカイトの存在は、例えば、Ｘ線回折測定によって確認することができる。炭酸化硬化体中にパリゴルスカイトを含む場合、銅を管球として測定したＸ線回折測定において、２θ＝８．４°〜８．６°、１９．８°〜１９．９５°に回折ピークが存在していることから確認できる。加えて、２７°〜２８°付近に複数のピークからなるブロードなピークが存在することから確認できる。
【００８６】
パリゴルスカイトを熱処理し、水酸基の量を制御した場合には、吸放湿機能を向上させることができるだけでなく、無機質硬化体を得る際のプロセスにおいても以下の効果を得ることができる。
【００８７】
炭酸化処理前の賦形プロセスにおいて、例えば、生産性に優れた抄造成形や表面加飾付与性に優れた脱水プレス成形法にように、原料がスラリー状態にある成形方法を用い、かつ１５０〜８００℃で焼成したパリゴルスカイトを用いた場合、未焼成のパリゴルスカイトを用いた場合と比較して、スラリー状態におけるチクソトロピー性が低下するため、極めて効率よく脱水処理することができる。
【００８８】
上記焼成温度が低すぎる場合は、得られる硬化体の吸放湿性能が低下することがある。また、スラリー状態におけるチクソトロピー性が強く、生産性が低くなる傾向がある。焼成温度が高すぎる場合は、得られる硬化体の吸放湿性能が低下することがある。より好ましい焼成温度は２００〜５００℃である。
【００８９】
上記調湿板は、パルプ繊維を１〜１０重量％含んでいてもよい。好ましくは、２〜５重量％である。パルプ繊維が少ないと、調湿板に貫通孔を形成したり、所望とする大きさに切断したりする加工性が低下する。パルプ繊維が多すぎると、充分な不燃性が得られないことがある。
【００９０】
上記調湿板の相対湿度４０％〜９５％の環境下での絶縁体積抵抗率は、１．０×１０６Ω・ｃｍ以上であることが好ましい。絶縁体積低効率が低すぎると、絶縁抵抗が小さくなり、電気機器用の基板としての使用が困難となる。絶縁体積抵抗は、平板の表裏に取り付けた電極より５００Ｖ印加することにより得られる抵抗率であり、電機抵抗値と電極面積の積を、厚みで除した値である。絶縁体積低効率を高くするためには、細孔と細孔の連結を少なくすることが重要であり、その方法としては、機械的エネルギーにより非晶質化されたワラストを炭酸化硬化する方法等が挙げられる。
【図面の簡単な説明】
【００９１】
【図１】（ａ）及び（ｂ）は、本発明の一実施形態に係る調湿部材を示す側面図、及び斜視図。
【図２】本発明の一実施形態に係る調湿部材を得る方法を説明するための斜視図。
【図３】本発明の一実施形態に係る取付部材付き調湿部材を示す斜視図。
【図４】本発明の一実施形態に係る取付部材付き調湿部材を得る方法を説明するための斜視図。
【図５】本発明の第１の実施形態に係る調湿部材の取り付け方法を説明するための図であり、電気・電子機器収納ボックス内に調湿部材が取り付けられた状態を模式的に示す部分切欠斜視図。
【図６】本発明の第２の実施形態に係る調湿部材の取り付け方法を説明するための図であり、電気・電子機器収納ボックス内に調湿部材が取り付けられた状態を模式的に示す部分切欠斜視図。
【図７】調湿部材が取り付けられる電気・電子機器収納ボックスを模式的に示す斜視図。
【図８】調湿部材が取り付けられた電気・電子機器収納ボックスを模式的に示す斜視図。
【符号の説明】
【００９２】
１…調湿部材
２…調湿板
２ａ…第１の主面
２ｂ…第２の主面
２ｃ…第１の端面
２ｄ…第２の端面
２ｅ…上面
２ｆ…下面
２ｇ…貫通孔
３…隙間形成部材
３ａ…貫通孔
４…結束バンド
４ａ…バンド
４ｂ…固定部
１１…取付部材付き調湿部材
１２…取付部材
１２ａ…貫通孔
１５…取付部材
１５ａ…本体部
１５ｂ…フック部
１０１…電気・電子機器収納ボックス
１０１ａ…扉
１０１ｂ…開口部
１０２…電気・電子機器
【図１】
2009254131.tif 000003
【図２】
2009254131.tif 000004
【図３】
2009254131.tif 000005
【図４】
2009254131.tif 000006
【図５】
2009254131.tif 000007
【図６】
2009254131.tif 000008
【図７】
2009254131.tif 000009
【図８】
2009254131.tif 000010